Podtech/llm-jp-corpus-v4-ja_patent huggingface dataset:
(57)【要約】【課題】洋式便器使用時に「座る」「立つ」の動作を補助するために上下する便座を提供する。【解決手段】洋式便器の便座に角度を変えながら昇降する昇降装置を取り付け、トイレ使用時に、水平から角度を増した状態で上昇している便座が、座る時には使用者が臀部を寄りかからせることで、体重を使用者の脚から便座に徐々に移すよう角度を水平に戻しながら下降し、立ち上がる時には角度を増しながら体重を便座から脚へと徐々に移すように上昇し、脚や膝の負担なく立ち上がることができることを特徴とする。【選択図】図４
2017127607.tif 000002
【特許請求の範囲】
【請求項１】
洋式便器使用時には「座る」「立つ」の動作が必要で、立位から屈む動作と、座った姿勢から立ち上がる動作が身体の負担とならないよう、座る場合は立位状態で上昇した「お迎え便座」に臀部で寄りかかることにより便座が下降し、太ももの角度に合わせて便座の角度が徐々に小さくなり、用便の位置では水平となり、体重が脚から便座へと身体的負担を伴わずに移すことができる。
立ち上がる場合は、逆に、便座の上昇と伴に水平から角度を増してゆき、体重が便座から脚へと徐々に移り自然と立位の体勢となり、立ち上がりに要する脚や膝の負担をなくすように機械的に上下する便座。
【発明の詳細な説明】
【技術分野】
【０００１】  この発明は、洋式便器使用時の「座る」「立つ」２つ動作を使用者の身体の体勢と運動に併せて昇降し、便器使用時の動作を補助する便座に関するものです。
【背景技術】
【０００２】  従来、便器自体やトイレ床の昇降、便座が水平状態で昇降するものがありますが、その使用時にはどうしても「屈む」「立ち上がる」という自分の身体運動が必要でした。
【先行技術文献】
【特許文献】
【０００３】
【特許文献１】特開平０８−２６６４４７
【特許文献２】特開２００７−０１４５１７
【発明の概要】
【発明が解決しようとする課題】
【０００４】  身体の運動機能低下等により、洋式便器に座ったり立ったりする場合に困難を伴ったり、介助を必要とする人や介護者には洋式便器使用の際に困難や身体的負担を伴います。
本発明は、以上のような身体的負担を軽減するためのものです。
【課題を解決するための手段】
【０００５】  便座を機械的に上下させ、座る場合の便座の動作は、角度を増しながら上昇してお迎えに行き、体重が掛かったら使用者と伴に角度を水平に戻しながら下降し用便の位置まで降りる。
立ち上がる時には角度を増しながら上昇し使用者の身体を持ち上げて立ち上がりの補助を行う。
【発明の効果】
【０００６】  便器に「座る」「立つ」という身体の動作に要する脚・膝等の身体的負担を軽減するため、機械的に角度を変えながら昇降する便座「お迎え便座」取り付けの洋式便器使用時には、事前に角度を増して上昇している便座に使用者が臀部で寄りかかることにより、使用者の屈む動作時の太ももの角度に合わせて便座が徐々に角度を水平に変えながら降下し、体重が脚から便座へと身体的負担を伴わずに移行することができる。
立ち上がる時には、座る場合と逆に、便座の上昇と伴に増してゆく便座の角度に合わせて脚に体重が移動して楽に立ち上がることができ、トイレ使用時の身体的負担を軽減するものです。
また、介護の場合においては、座る場合には要介護者が起立状態で便座に臀部を寄りかからせ、立ち上がる場合は寄りかかった状態から少し身体を支えることで済み、介護者の労力軽減につながります。
【図面の簡単な説明】
【０００７】
【図１】本発明の下降時の正面図である。
【図２】本発明の上昇時の正面図である。
【図３】本発明の下降時の側面図である。
【図４】本発明の上昇時の側面図である。
【図５】本発明の設置状況図である。
【発明を実施するための形態】
【０００８】  以下、本発明を実施するための形態について説明します。
便器造り付け又は床置きで、便器の四隅に機械的に伸縮する柱を設置し、柱の下部は便器本体又は設置補強板を介して床に取り付けられ、上部には両側に膨らみ等がある手で持ち易い形状とした便座が取り付けられる。
前方の伸縮柱は使用者の体重を支えるためのもので下部は床又は便器と接続し上部は可動式で便座が取り付けられ、後方の伸縮柱は体重を支えると伴に上昇時に便座を前方に傾かせるため、床又は便器及び便座への上下の取り付部は可動式とする。
便座を上下させるための装置として、便座の上昇高さの調整や前部と後部の油圧装置の伸縮度合いを調整することにより角度を変えながら柱を伸縮させるための油圧装置等と、それを作動させる遠隔操作機器を有し、トイレ入り口に設置した遠隔操作器を操作して事前に便座を上昇させ、それに体重をかけることで下降し用便位置になる。
用便後は再度遠隔操作装置を操作し便座を上昇させ使用者が立ち上がったら下降する便座。
【産業上の利用可能性】
【０００９】  本発明は、介護を必要とする方の住宅のトイレや高齢者施設等で使用される事により、介助者の負担を軽減することができるものと考えます。
【符号の説明】
【００１０】  １  洋式便器
２  便座
３  前部昇降装置
４  後部昇降装置
５  昇降駆動装置
６  設置補強板
７  トイレ入口遠隔操作装置
８  トイレ内部遠隔操作装置
【図１】
2017127607.tif 000003
【図２】
2017127607.tif 000004
【図３】
2017127607.tif 000005
【図４】
2017127607.tif 000006
【図５】
2017127607.tif 000007
(57)【要約】【課題】  性交渉は若い世代ばかりではなく、熟年のカップルにとっても互いへの慈しみを育み持続する大切な機会であるが、閉経期を過ぎた女性にとっては性交痛を伴うことが多く本行為に逡巡する。また、性交渉にはムードが大切であるが既存の製品や考案品は男性・女性用品ともに興醒めのするものばかりであり使用にあたっては課題の多いあるものである。【解決手段】  長さの短いコンドームに似た形状の用品に蓋部分を設け潤滑用ゼリー剤を封入。この蓋部分を男性器（ペニス）の先端部（亀頭部）で押し破ることにより先端部を主体とした表面部位（先端部から１／３程度まで）に潤滑用ゼリー剤をムードを損なわずに簡易に、しかも短時間で塗布できるようする。【選択図】図３
2017127612.tif 000002
【特許請求の範囲】
【請求項１】
ラバー等の伸縮性のある材質で作られた用品の内部に潤滑用ゼリー剤を封入し、男性器（ペニス）の先端部を主体とした表面部位に潤滑用ゼリー剤をムードを損なわず簡易に、しかも短時間で塗布できるように工夫された性交痛を軽減するための男性用品
【発明の詳細な説明】
【技術分野】
【０００１】  本発明は、性交痛を軽減するために男性器表面にムードを損なうことなくスマートに潤滑用ゼリー剤を塗布することが出来るよう工夫された男性用品に関するものである。
【背景技術】
【０００２】
【特許文献１】特開２００１−１１４６６９  この公知発明は潤滑用ゼリー等を体温溶解性のカプセルに封入し女性器内に挿入することにより性交痛を軽減しようとするもので本発明が解決しようとする手段とは異なるものである。
【特許文献２】特開平７−２８９５７６  この公知発明はコンドーム先端を二重にして内部に潤滑用ゼリー等を封入し使用時に表面に開いた小孔から漏出させることにより性交痛を軽減しようとするもので本発明が解決しようとする手段とは異なるものである。
【発明が解決しようとする課題】
【０００３】  長寿社会を迎え、以前であれば一般的には性交渉が途絶えた年代のカップルでも雰囲気の良い場面では互いに望むこともある。しかし、閉経期を過ぎた女性にとっては性交痛を伴うことが多く本行為に逡巡する。性交渉は若い世代ばかりではなく、熟年のカップルにとっても互いへの慈しみを育み持続する大切な機会であり、仮に興醒めをしないスマートで、かつ簡易な方法で性交痛を軽減する手段があればその利用を望む者も多い。
しかし、性交痛の軽減を目的とした既存の製品や考案品は避妊が不要にも拘わらず表面に潤滑用ゼリーを塗布したコンドームを使用したり、その形態や使用方法が興醒めするものばかりであり熟年者の希望に沿うものはない。
本発明の目的は、ムードを損なわずにスマート、かつ簡易に使用ができる性交痛を軽減する男性用品を提供し、これらの課題を解決することにある。
【課題を解決するための手段】
【０００４】  長さの短いコンドームに似た形状でラバー等の伸縮性のある材質で作られた用品に蓋部分を設け潤滑用ゼリー剤を封入。この蓋部分を男性器（ペニス）の先端部（亀頭部）で押し破ることにより先端部を主体とした表面部位（先端部から１／３程度まで）に潤滑用ゼリー剤をムードを損なわずに簡易に、しかも短時間で塗布できるようする。
【０００５】  コンドームに似た形状の用品の蓋表面には裂け易いように蓋中心部分から縁部分にかけて放射状に浅い切れ目（ノッチ）を施す。
【０００６】  興醒めをしない形状であることも本用品の重要や要素であり、蓋にはレモンやオレンジなどの柑橘類の輪切りをイメージした印刷を施し、用品全体の形状としてはスライスした柑橘類に似た爽やかな印象を与えるものとする。
【図面の簡単な説明】
【図１】  本発明の性交痛を軽減する男性用品の形状図である。
【図２】  本発明の性交痛を軽減する男性用品を横から見た形状図である。
【図３】  本発明の性交痛を軽減する男性用品の断面図である。
【図４】  本発明の性交痛を軽減する男性用品の蓋部分に柑橘類の輪切りをイメージした印刷を施した用品の形状図である。
【図５】  本発明の性交痛を軽減する男性用品の使用時（潤滑用ゼリー剤塗布時）の断面図である。
【符号の説明】ａ  ＰＥＴ等の材質で作られた薄いフイルム状の蓋部分
ｂ  ラバー等の材質で作られた淵部分
ｃ  ラバー等の材質で作られた伸縮する本体部分及び本体部分に封入された潤滑用ゼリー
ｄ  蓋表面に施された放射状の浅い切れ目（ノッチ）
ｅ  蓋部分に施された柑橘類の輪切り等のカラー印刷
ｆ  本製品使用時の伸長したラバー等の材質で作られた本体部分
ｇ  男性器（ペニス）の先端（亀頭）部
【図１】
2017127612.tif 000003
【図２】
2017127612.tif 000004
【図３】
2017127612.tif 000005
【図４】
2017127612.tif 000006
【図５】
2017127612.tif 000007
(57)【要約】【課題】義歯製作の時間と費用を削減するために、分割された形状の義歯床のデータを利用した義歯製作方法を提供する。【解決手段】義歯床を複数に分割した形状のデータから分割された形状の義歯床（１）を製作する。その後に一つ以上の分割された形状の義歯床（１）を利用し一塊となる義歯床を製作する。必要であれば一塊とする際に装置等（２）を組み込む。以上の手法よりなる義歯製作方法である。【選択図】図１
2017127611.tif 000002
【特許請求の範囲】
【請求項１】
分割された形状の義歯床（１）のデータを利用した義歯製作方法。
【発明の詳細な説明】
【技術分野】
【０００１】この発明は分割された形状の義歯床のデータを利用した義歯製作方法に関するものである。
【背景技術】
【０００２】（イ）一塊の義歯床材料を変形加工し利用する。
（ロ）義歯床材料を硬化させながら築盛し一塊として利用する。
従来、義歯床の製作方法は以上の手法によるものだった。
【発明の概要】
【発明が解決しようとする課題】
【０００３】これは、次のような欠点があった。
従来、義歯の製作には模型が必要であった。それは装置等を義歯床内部に組み込むために、模型と装置等の隙間を利用する為である。模型を製作し、その後にその模型に合わせて義歯を製作する手法は、多くの時間と費用を費やす必要があった。またＣＡＤ／ＣＡＭ等の技術は複数のマテリアルを組み合わせたものを同時に組み込みながら製作するのが困難で、複数の材質が組み合わさっている義歯を製作するのが困難であった。
本発明は、以上のような欠点をなくすためになされたものである。
【課題を解決するための手段】
【０００４】義歯床を複数に分割した形状のデータから分割された形状の義歯床（１）を製作する。その後に一つ以上の分割された形状の義歯床（１）を利用し一塊となる義歯床を製作する。必要であれば一塊とする際に装置等（２）を組み込む。
本発明は、以上の手法よりなる義歯製作方法である。
【発明の効果】
【０００５】分割された形状の義歯床及び装置はＣＡＤ／ＣＡＭ等の技術を利用して製作する事が可能である。それぞれのパーツを組み立てて義歯を製作する事や、一部欠如した部分を義歯床材料で補う事で義歯を製作する事が出来る。これにより、模型のデータや各パーツのデータがあれば、再び模型を製作する事なく義歯を製作する事が出来るので、多くの時間と費用を削減することが可能である。同じ義歯を同時にスペアとして製作する事や、必要な時に必要な数だけ同じ義歯を製作する事が出来る。データとＣＡＤ／ＣＡＭ等の設備があれば、製作場所を選ばず同じ義歯を製作する事ができる。
【図面の簡単な説明】
【０００６】
【図１】本発明の断面図である
【図２】従来法の断面図である
【発明を実施するための形態】
【０００７】以下、本発明を実施するための手法について説明する。
義歯床を複数に分割した形状のデータから分割された形状の義歯床（１）を製作する。その後に一つ以上の分割された形状の義歯床（１）を利用し一塊となる義歯床を製作する。必要であれば一塊とする際に装置等（２）を組み込む。
本発明は、以上のような手法である。
【符号の説明】
【０００８】１  分割された形状の義歯床
２  装置等
【図１】
2017127611.tif 000003
【図２】
2017127611.tif 000004
(57)【要約】      （修正有）【課題】機械的・物理的に精米しても、米の鮮度が落ちないようにする。【解決手段】貝殻の高温焼成高純度粉末（水溶液に混濁した場合にｐＨ１２以上のアルカリ反応と飽和量を有する粉末）を、米の研ぎ水に対して付加混合して、米の酸化膜、油膜を除去する。【選択図】なし【特許請求の範囲】
【請求項１】
貝殻の高温焼成高純度粉末（貝殻の高温焼成高純度粉末で水溶液に混濁した場合いのｐＨ１２以上のアルカリ反応と飽和量を有する性能の粉のこと）を米の研ぎ水（通常３回研ぐ中の１回目）に対して付加混合することでの精米方法。
【請求項２】
貝殻の高温焼成高純度粉末（貝殻の高温焼成高純度粉末で水溶液に混濁した場合いのｐＨ１２以上のアルカリ反応と飽和量を有する性能の粉のこと）を飽和水溶液にして、研ぎ水に対して付加混合することでの精米方法。
【請求項３】
貝殻の高温焼成高純度粉末で水溶液に混濁した場合いのｐＨ１２以上のアルカリ反応と飽和量を有する。
【請求項３】
水溶液に添付・混合して使用するものである。
【請求項４】
無味無臭である。
【発明の詳細な説明】
【課題】
米を精米すると、時間経過に伴って、表面が酸化・油脂化する。
それを再度精米する研ぎ方。
【解決手段】
貝殻の高温焼成高純度粉末を使用して、米の研ぎ水溶液に適量添加し、米表面の酸化膜・油膜を除去する方法。この時の要件として、貝殻の高温焼成高純度粉末で、水溶液に混濁した場合いのｐＨ１２以上のアルカリ反応と飽和量の到達が必要となる粉末。
【発明の詳細な説明】
【技術分野】
【００１】本発明は、米を精米するにあたり、機械的・物理的な方法でなく、化学的に酸化膜と油膜を除去する方法の技術の提供。
【背景技術】
【００２】従来の精米方法は、機械的・物理的であり、精米後に直ぐに、洗米して炊きあげれば、米本来の味わいが可能となる。【００３】時間経過により、米表面に油分が酸化し炊き上げ時には、米本来の味が損なわれる。
【発明が解決しようとする課題】
本発明は機械的に精米して、経過時間と共に鮮度が落ち、ごはんの味が損なわれるのを、洗米時に化学的に精米する方法を提供する。
【課題が解決するための手段】
【００６】この本発明は、貝殻の高温焼成高純度粉末を使用して洗米時に化学的に精米する。
【発明を実施するための形態】
【００７】本発明は、貝殻の高温焼成高純度粉末を洗米時に液体として使用することで精米することである。
【００８】貝殻は粉砕、微粉砕しただけでは、抗菌活性は認められないが、高温下（１，１００℃以上）で指定時間焼成処理をすることで抗菌性が発現する。焼成後の粉に対して粉砕を施した微粉末を使用するのが好ましい。
【００９】研ぎ水はアルカリ性になり、油分を洗い流す。
【０１０】従来の洗米の過程で著しい変化をしなくても、その方法を確立して提供できる。
(57)【要約】      （修正有）【課題】必要なときに家人が汚染除去を行うことができる管内汚染除去方法を提供する。【解決手段】管１内に、汚染除去ブラシ又は汚染除去具３−１を取り付たロープ２と、ロープの折り返し回転部４を設け、管外に汚染除去ブラシ又は汚染除去具３−２を設ける。ロープ及び汚染除去ブラシ又は汚染除去具３−１は管内に常設する。洗浄時には、外部からロープを動かして汚染除去ブラシ又は汚染除去具により管内汚染又は管詰まり物及び管に流入した異物を除去する。【選択図】図１
2017127852.tif 000002
【特許請求の範囲】
【請求項１】
本発明は、管内に、汚染除去ブラシ、または、汚染除去具を付したロープ、または、コード、および、テープバンド、並びに弾性材ゴム紐（以下、汚染除去ブラシ、または、汚染除去具を付したロープ、または、コード、および、テープバンド、並びに弾性材ゴム紐を総称してロープと記す）を通し、管内に内設して、管内でロープを動かして汚染除去ブラシ、または、汚染除去具により管内汚染を除去する発明に関する。
【発明の詳細な説明】
【技術分野】
【０００１】  本発明の装置は、管内に、汚染除去ブラシ、または、汚染除去具を付したロープ、または、コード、および、テープバンド、並びに弾性材ゴム紐（以下、汚染除去ブラシ、または、汚染除去具を付したロープ、または、コード、および、テープバンド、並びに弾性材ゴム紐を総称してロープと記す）を通し、管内に内設してロープを動かして汚染除去ブラシ、または、汚染除去具により管内汚染、または、管詰まり物、および管に流入した異物（以下、管内汚染、または、管詰まり物、および管に流入した異物を管内汚染、または、管内汚染物と記す）を除去する装置に関する。
【背景技術】
【０００２】  従来、管外から管内汚染を除去する器具を挿入して汚染を処理する。または、管外から圧力水、または、圧力空気を管内に噴射して汚染を除去する方法等により管内汚染を除去する方法が行われている。圧力水、または、圧力空気を用いるさい、管内汚染除去専門者に依頼する要が、しばしばある。
【発明の概要】
【発明が解決しようとする課題】
【０００３】  本発明の装置は、管内に汚染除去ブラシ、または、汚染除去具を付したロープを常時、管内に設け、汚染除去が必要なとき家人が汚染除去を行うことができる。
【課題を解決するための手段】
【０００４】  本発明の装置は、管内に汚染除去ブラシ、または、汚染除去具を付したロープを設け、外部からロープを動かして管内汚染除去する。曲管、サイホン管の汚染除去に、特に有効である。くわえて、本装置用ロープに腐敗しない合繊製を用いることで長年使用可能である。
【発明の効果】
【０００５】  管内汚染状況を目視することは難しい。なお、便器の排水管、厨房、洗面等の排水管は、サイホン配管を伴っている。いずれも、汚染度が高い。それなのに、汚染除去が難しい。これらの管内汚染除去を業者に依頼する場合が多い。本装置においては、各家で適時に行うことができる。なお、粘度が高い流体用管において、流用停止時、残存流体の取り出しに有効である。
【図面の簡単な説明】
【０００６】
【図１】本装置を設けた管の側面図である。
【図２】ロープの折り返し、回転体部分の一例図の断面図である。
【発明を実施するための最良の形態】
【０００７】  以下、本装置の実施の形態を図１と図２に示して説明する。
【実施例】
【０００８】  図１は、縦配管、曲管、サイホン管部の一例図である。その管において説明する。図１において、１の管の内部の一端に４のロープ折り返し回転部を設け、２のロープを管上部から管内を下方に通し、４の回転部でロープを折り返して管内上方に通す。ロープの両端を管外に出す。２のロープに３−１、または、３−２のブラシまたは、汚染除去具を取り付ける。３−１は常時管内にあり、３−２は必要に応じ管内に入れて汚染除去を行う。２のロープを上下に動かし３−１、３−２により汚染を除去する。管外ロープ端を結び、いわゆるエンドレス状となし、また、両端を開放状とする。回転体部を、図１のごとく直管に設けることができる。なお、利用する管が短い場合、弾性材ゴム紐一本を通してゴム紐を伸縮させることにより汚染除去が可能である。この場合、回転体部をゴム紐の一端を取り付ける構造にすることができる。
【産業上の利用可能性】
【０００９】  配管内不具合解消に役立つ。各家において、管内不具合解消に大きく役立つ。
【符号の説明】
【００１０】１      管
２      ロープ
３−１  常時、管内に設けている汚染除去ブラシまたは、汚染除去具
３−２  常時、管外に設けている汚染除去ブラシまたは、汚染除去具
４      ロープ折り返し回転部
５      管継ぎ手
６      ロープ折り返回転軸
７      回転ローラー
【図１】
2017127852.tif 000003
【図２】
2017127852.tif 000004
(57)【要約】      （修正有）【課題】ＰＮＰトランジス、ＦＥＴトランジスタを利用することなく、充電体にコイルと先端の尖った鉄心を内蔵し、電荷の出力に抵抗器を接続した増幅電機方法を提供する。【解決手段】充電体２に電荷を充電させておき、この充電体２にコイル３，４と先端の尖った鉄心５を内蔵し、直流の電源１からコイル３に電流を流し充電体２に補充電荷させ，コイル４には直流の電源１からコイル３とは逆方向の電流を流し磁場を変えて補充電荷をアップさせ、先端の尖った鉄心５から、補充電荷する出力を制限する抵抗器Ｒを通して増幅電機６に出力する。【選択図】図１
2017103998.tif 000002
【特許請求の範囲】
【請求項１】
充電体に電荷を充電させておきこの充電体にコイルと先端の尖った鉄心を内蔵し補充電荷する抵抗器を接続して増幅電機することを特徴とする充電体を用いた増幅電機方法。
【発明の詳細な説明】
【技術分野】
【０００１】本発明は、充電体を用いた増幅電機方法に関し、詳しくは充電体にコイルと先端の尖った鉄心を内蔵し、電荷の出力に抵抗器を接続した増幅電機方法に関するものである。
【背景技術】
【０００２】従来、増幅電機する場合は、ＰＮＰトランジスタ又はＦＥＴトランジスターを利用することが知られている。
【発明の概要】
【発明が解決しようとする課題】
【０００３】そのために次のような問題があった。
従来、増幅電機の場合は、ＰＮＰトランジス又はＦＥＴトランジスタを使用したものがあった。
本発明は、このような課題に鑑みてなされたものであって、ＰＮＰトランジス、ＦＥＴトランジスタを利用することなく、増幅電機方法を提供することを目的としている。
本発明は、以上の問題点を解決しようとするものである。
【課題を解決するための手段】
【０００４】前記した課題を解決するために本発明は、充電体に電荷を充電させておき、この充電体にコイルと先端の尖った鉄心を内蔵し、補充電荷する出力制限する抵抗器を接続し、増幅電機することを特徴とする。
【発明の効果】
【０００５】本発明によれば、ＰＮＰトランジスタ、ＦＥＴトランジスタを利用することなく増幅電機することが可能になる。
【図面の簡単な説明】
【０００６】
【図１】本発明の一実施例を示す構成図である。
【発明を実施するための形態】
【０００７】以下、本発明の実施の形態について説明する。
図１は、本発明の一実施例を示す構成図である。
図１において、
（イ）は増幅電機（６）する直流の電源（１）である。
（ロ）は電荷をチャージする充電体（２）である。
（ハ）は磁場を発生し、充電体（２）に補充電荷するコイル（３）である。
（ニ）はコイル（３）の電流方向と逆方向の電流で、磁場を変えて補充電荷をアップさせるコイル（４）である。
（ホ）は充電体（２）のチャージされた電荷を電気信号に変換する先端の尖った鉄心（５）で電荷密度を上げて放電する先端の尖った鉄心（５）である。
（ヘ）は充電体（２）のチャージ量をコントロールする抵抗器（Ｒ）である。
（ト）は直流の増幅発電機（６）である。
以上説明したように、
本発明は以上のような構造である。
【符号の説明】
【０００８】１    直流電源
２    充電体（硫黄等）
３    コイル
４    コイル
５    先端の尖った鉄心
Ｒ    抵抗器
６    増幅電機
【図１】
2017103998.tif 000003
(57)【要約】      （修正有）【課題】相手の画像を見ながら、自分の視線を送れる、テレビ電話を提供する。【解決手段】薄型のモニター２の画面上に穴をあけ、カメラ１を設ける。そのテレビ電話同士を回線で結ぶ。【選択図】図１
2017103738.tif 000002
【特許請求の範囲】
【請求項１】
画像表示画面上に、カメラを設けた、テレビ電話。
【請求項２】
ノリアキ式テレビ電話のスマートフォンやタブレット、パソコンなどへの応用。
【発明の詳細な説明】
【技術分野】
【０００１】  この発明は、画像表示画面上にカメラを設けた、装置同士を回線で結び、互いを見ながら話す、テレビ電話に関するものである。
【背景技術】
【０００２】  従来、テレビ電話は、画像表示画面上にカメラはなかった。
【先行技術文献】
【０００３】
【特許文献１】
【発明の概要】
【発明が解決しようとする課題】
【０００４】  これは、次のような欠点があった。
（イ）従来、テレビ電話をする時、画像表示画面の外にカメラはあったので、相手の画像を見ていると、その時のカメラに写った映像は、目線がずれたものだった。
（ロ）視線を相手に送ろうとするには、カメラの方を見るしかなく、画面を見ながらはできなかった。
本発明は、以上のような欠点をなくすためになされたものである。
【課題を解決するための手段】
【０００５】  画像表示画面上に、カメラを設けた、テレビ電話同士を回線で結ぶ。
本発明は、以上の構成よりなる、テレビ電話である。
【発明の効果】
【０００６】  画像表示画面上に、カメラがついているので、相手の画像を見ていると、自分の正面像で目線を送る画像が、相手に映り、はっきりと、自分を伝えることができる。
【図面の簡単な説明】
【０００７】
【図１】  本発明の正面図である。
【発明を実施するための形態】
【０００８】  以下、本発明を実施するための形態について説明する。
薄型の表示モニター（２）の画面上に、穴をあけ、カメラ（１）を設ける。
そのテレビ電話同士を回線で結ぶ。
本発明は、以上のような構造である。
これを使用する時は、相手と回線でつながり、相手の画像を正面で見て、自分の目線を送る画像をカメラで撮り、相手に見せる。そうしながらしゃべる。
【符号の説明】
【０００９】    １  カメラ
２  薄型の表示モニター
【図１】
2017103738.tif 000003
(57)【要約】【課題】  自分の画像を映し、目線があった、ありのままの現実を記録できる装置を提供する。【解決手段】  画像表示画面上にカメラを設けた電子式鏡で、録画録音する事を特徴とする。【選択図】図１
2017103737.tif 000002
【特許請求の範囲】
【請求項１】
画像表示画面上に、カメラを設けた電子式鏡での録画録音装置。
【請求項２】
ノリアキ式記録装置のスマートフォンやタブレット、パソコンなどへの応用。
【発明の詳細な説明】
【技術分野】
【０００１】  この発明は、画像表示画面上にカメラがある、記録装置に関するものである。
【背景技術】
【０００２】  従来、記録は、日記やメモとして、字で記していた。写真や動画も、自分を撮る時、カメラを見て撮り、自分の目線が合った画像を見ながら、録画、録音できなかった。
【先行技術文献】
【０００３】
【特許文献１】
【発明の概要】
【発明が解決しようとする課題】
【０００４】  これは、次のような欠点があった。
（イ）従来、日記やメモは、字で記すもので、現実があまり伝わる記録ができなかった。
（ロ）写真や動画は、カメラとその画像画面が離れているため、自分の目線が合った画像を見て、自分を写しながら、そのままを撮る事はできなかった。
本発明は、以上のような欠点をなくすためになされたものである。
【課題を解決するための手段】
【０００５】  画像表示画面上に、カメラを設けた、ノリアキ式鏡で、録画録音する。
本発明は、以上の構成よりなる、ノリアキ式記録装置である。
【発明の効果】
【０００６】  画像表示画面上に、カメラがついているので、自分を正面に置けば、目線が合った、画像が映り、左右が逆に映らず、それを録画できる。そして、録音もできれば、日記やメモのような記録装置になる。
【図面の簡単な説明】
【０００７】
【図１】  本発明の正面図である。
【発明を実施するための形態】
【０００８】  以下、本発明を実施するための形態について説明する。
薄型の表示モニター（２）の画面上に、穴をあけ、カメラ（１）を設ける。
背面に、今撮っている動画を画面に送り、その画像の静止画録画や動画録画と再生の装置を設ける。
画像と同時に、音声を録音するマイクもつける。音声を再生するスピーカーもつける。
本発明は、以上のような構造である。
これを使用するときは、カメラに、目線の合うところに、自分を置き、動画を見て、記録する。
画像を見ながら、記録したい事をしゃべり、画像と共に、録画録音する。
録画録音した内容を、確認したい時、再生する。
【符号の説明】
【０００９】    １  カメラ
２  薄型の表示モニター
【図１】
2017103737.tif 000003
(57)【要約】【課題】  貯水処理や貯水した生成水の運搬による農作業の煩雑さを軽減するイオン水生成装置を用いた栽培方法を提案する。【解決手段】  流水を即時電気分解したのち滞留あるいは循環させることなく直ちに栽培に使用する。【選択図】図１
2017042150.tif 000002
【特許請求の範囲】
【請求項１】
水を電気分解することによりイオン水を生成させ、植物または作物に与える事を特徴とする方法
【請求項２】
原水はイオン水生成装置を通過する過程で即時にイオン化し、滞留させることなく直ちに利用できる事を特徴とする請求項１の栽培方法
【請求項３】
発芽前から発芽後の成長期においてイオン水を数回与えて植物または作物の根量を増加させる事を特徴とする請求項１の栽培方法
【発明の詳細な説明】
【技術分野】
【０００１】  本発明は植物・作物の栽培方法に関する。
【背景技術】
【０００２】  従来、農作物栽培用の電解還元水を生成する農作物栽培用電解還元水生成装置による農作物への栽培方法がある。（例えば、特許文献１参照）
【先行技術文献】
【特許文献】
【０００３】
【特許文献１】特開２００７−１５２１５６（Ｐ２００７−１５２１５６Ａ）
【発明の概要】
【発明が解決しようとする課題】
【０００４】  しかしながら、上記従来の農法では、まず、電解還元水生成装置によって電解生成水をタンク内で生成させることに関連し、次のような問題点がある。すなわち、農業従事者は生成水を貯水するためのタンクが最低でも１つは必要であり、水を散布する際に事前作業が必要となり農作業が煩雑である。【０００５】  また、電解水の生成については、電解槽と貯水タンク内の水を繰り返し電気分解することで目標とする電解水に仕上げることから、電解処理にはある一定時間を要するなどの欠点がある。【０００６】  さらに、水を必要とする田畑が電解水の生成場所から離れている場合、生成された水を運搬する必要があるが、電解水は衝撃に弱く、運搬中にその効果が低下または失われることも考えられる。また生産者が保有する一般的な運搬手段といえば軽トラックであるが、その積載重量は３５０ｋｇである。今後、我が国においては圃場の集約化などに伴い更なる大規模化が進む中、１回の電解、運搬能力が数百リットルでは実務に耐えない。【０００７】  本発明は、このような従来あった問題を解決しようとするものである。即ち農作業における水の生成・散水作業を軽減し、更には水の運搬そのものを必要としないイオン水生成装置によって流水が存在する限りイオン水を随時生成、供給し続ける栽培方法を提供することにより植物・作物の根量を増加させることを課題とする。
【課題を解決させるための手段】
【０００８】  本発明は、課題の解決を栽培の現場にて流水を即時電気分解しイオン化させた後、滞留させることなく直ちに栽培に使用することで解決する。
具体的には、原水の流量や混在する異物にもよるが、並行する複数の電極もしくは直径の異なる複数の円筒形の電極間を一定の流速をもって原水を通過させる方法をとる。
【０００９】  原水をイオン化するために正極及び負極をもつ電極間を通過する原水に単位体積当たり一定量の電力を供給することでイオン水を即時生成する。
この時、１立法センチメートルの単位原水が電極間を通過し終えるまでの時間当たり、３０［ｍＷｓ］（ミリワット秒）以上の電力を印加することで栽培に適したイオン水が実現できる。
【発明の効果】
【００１０】  発明者が考案した方法によれば、イオン水は栽培現場で瞬時に生成される。これにより、貯水による農作業の煩雑さを低減、生成に要する時間を短縮、更には生成水の運搬、及び運搬による効果の低下を回避しつつ植物や作物の根量を増加させることが可能である。
【図面の簡単な説明】
【００１１】
【図１】原水がイオン水に生成させる様子を表した図
【図２】冠根の本数、各冠根の長さをまとめた図
【図３】メソコチル根を２．９ｍｍ以下の長さでまとめた図
【図４】メソコチル根を３ｍｍ〜５．９ｍｍの範囲の長さでまとめた図
【図５】メソコチル根を６ｍｍ以上の長さでまとめた図
【発明を実施するための形態】
【００１２】  本発明について説明する。本発明は、１．原水は流水のままイオン水生成装置によりイオン化させたのち滞留させることなく直ちに利用する、２．生成した水は根に与え根量を増加させる。
【実施例１】
【００１３】  本発明の実施例について説明する。
７月２日  鉄コーティングを施したコシヒカリ種子を用いて実験を開始する
鉄コーティングのコシヒカリ種子３０グラム（種子の数は約６００粒）を１００ミリリットルの水に水没させ発芽させる。この際、使用した水は原水で無処理のものを使用。
７月１７日  発芽した種子から均一のものを２４本選択したのち、処理区、無処理区用に各１２本に振り分け各ポットに移植する。この際、使用する水は各々のポットごとに４リットルとし、無処理区は原水をそのまま使用し、処理区には原水に対して６０ミリワット秒の電力を印加したイオン水を使用した。【００１４】  また肥料としては各々のポットに３０ミリリットルの液肥を注入した。
栽培中は加水を一切行わず、７月３１日、８月３日、８月６日、８月７日に株の根の計測を行った。
尚、計測には公平を帰すため、処理区、無処理区のそれぞれのポット内の移植位置が同じ苗を対象として計測を行った。
７月３１日、８月３日、８月６日、８月７日の計測については、１株あたりの１．冠根の本数、２．冠根の長さ、３．メソコチル根の本数を計測した。表１はその結果であり、冠根長は累積で表示した。
【表１】
2017042150.tif 000003
尚、図２は上記結果を１．冠根の本数、２．各冠根の長さを図としてまとめた。
下記表２は更に８月３日、８月７日の株について、メソコチル根の長さを２．９ミリメートル以下、３〜５．９ミリメートル、６ミリメートル以上の３種類に分類しそれぞれの本数も計測した。
【表２】
2017042150.tif 000004
尚、図３  図４  図５は上記結果をメソコチル根の長さ別に分けて図としてまとめた。【００１５】  この他、東京農業大学の実験田（神奈川県厚木市）にて平成２５年度から平成２７年度において３ヵ年に渡り同イオン水を利用した栽培実験を行い、また平成２６年度から遂行している農林水産省の事業「農業界と経済界の連携による先端モデル農業確立実証事業」における「イオン水生成装置による直播栽培農法確立と直播普及プロジェクト」における結果についても無処理区と処理区の比較により全ての項目で上記図のような優位性が認められた。
【図１】
2017042150.tif 000005
【図２】
2017042150.tif 000006
【図３】
2017042150.tif 000007
【図４】
2017042150.tif 000008
【図５】
2017042150.tif 000009
(57)【要約】【課題】  従来の釣用錘は鉛製で生物に害が有る。そこで鉄に代表される比重の重い安全な金属を使った錘を作成しなければならない。しかし硬い金属となると成形性が悪く、海水などの影響で非常に錆びやすい。フック部分など錆の影響で他の金属に置き換えている。塗装なども難しく剥がれやすい上にキズに弱い。海水など水に強く、耐久性があり、成形性がよく、安全で使い勝手の良い新しい機能も付加でき、安価な釣り用錘を提供する。【解決手段】  上述の目的を達成する本発明の構造は金属とコンクリート等の複合材錘の開発である。鉛が乗ったサンゴは死滅するが鉄が乗ったサンゴはその部分増殖すると言われる鉄材を芯材に使いその回りをコンクリートなどで包み込む製法である。潮流れに強い形状やフック掛け部分の細工が要らず、鉄芯なども中に包まれる。塗装もしやすくコンクリートの劣化を防ぐ事が可能である。それにより大幅なコストカットと新機能の付加がとても簡単になる。大量生産にも最適になり大幅に供給量を増やす事ができる。【選択図】図１
2017042149.tif 000002
【特許請求の範囲】
【請求項１】
釣り用の錘を鉄など比重の重い金属を芯に使い、コンクリートやセメント、モルタル、樹脂、粘土系の焼き物土等で覆う事により色々な形に容易に成型でき、重さを充分に確保した上で新しい形態や、機能。フック掛けの細工など、容易に付加できる釣り用、漁業用の高対候性で腐食に強い、長期間使用できる。安全性の高い複合型の錘。
【発明の詳細な説明】
【技術分野】
【０００１】  本発明は、釣り用の錘に安全性の高い金属を芯に使い、その回りに隙間を空けることなくコンクリート、モルタルセメント系、樹脂系の素材を充填することによる加工性、対候性、機能性、腐食性、生産性、安全性、コストを大幅に改善した釣り漁業用の錘に関する。
【背景技術】
【０００２】  従来の釣用錘は主に鉛を原料に使っている。落下速度の関係で比重が１１，４と重い金属で、加工性にも優れている（ｈｔｔｐ：／／ｗｗｗ．ｔａｍａｙａ．ｎｅｔ／ｏｍｏｒｉ．ｈｔｍ  参照）が非常に有害である。安全な鉄製で落下スピードの速い錘も最近は出ている。【０００３】    以下、図３、図４により従来の釣用錘について説明する。図３の物はかなり以前からある物で、ナス型胴突き錘という形で広く船釣りに使われている。図４は（特開平１１−２８９９３９）落下速度の高い錘である。鉄製でも落下速度の速いものが出ている。
【先行技術文献】
【特許文献】
【０００４】
【特許文献１】特開平１１−２８９９３９号
【非特許文献】
【０００５】
【非特許文献１】ｈｔｔｐ：／／ｗｗｗ．ｔａｍａｙａ．ｎｅｔ／ｏｍｏｒｉ．ｈｔｍ  ナス型胴突き錘
【発明の概要】
【発明が解決しようとする課題】
【０００６】  上記の如く、釣魚用錘の主流は鉛であるが有害である。安全な鉄などを使って船釣り用の錘を作成すると錆の発生が早く問題となる為、必ず丈夫な塗装が必要になる。硬く熔け難いため加工性が悪く、加工するにも時間と手間が掛かる。特にフックを掛ける部分が難しい為、鋳鉄製では凄く太くなってしまい市販のフックが掛からずテグスを巻いて使用している。比重が鉛より軽い為同じ重量にすると体積が大きくなり、潮に流されやすく潮流れに負けない形状をデザインする必要がある。形状デザインしたプラスッチックケースを作成し切り出したままの鉄を入れられれば良いのだが、必ず隙間が発生して浮力となってしまう。これらの為に鉄など加工性の悪い金属を使用した錘は非常にコストアップとなる。【０００７】  本発明はこのように従来の構成が有していた問題を解決し安全性が高く、生産性の良い、高機能で対候性、腐食性にも優れた安価な錘を実現する事を目的としたものである。
【課題を解決するための手段】
【０００８】  上述の目的を達成する本発明の構造は、鉄や金属材の丸棒及び角棒などを任意の大きさに切り出した物をコンクリート、高比重スラグセメント、樹脂などに埋め込み、外側の材料と金属材のあいだを隙間無く型で成型した複合材質の錘である。【０００９】  芯材の金属に塗装やプラケースで被うのでは無く、金属に密着して尚且つ錘材としての機能を果たす外側部材を設定する。当初は液状の材質であるコンクリートなどは形状の作成が容易で芯材との隙間も無く、細工を施すのにも非常に利便性がある。固まった後は非常に強固で丈夫であり破損の恐れが殆ど無い。均一な製品を大量に生産することが出来る。
【発明の効果】
【００１０】  外側を液状の材質で作り出すことで任意の形状やフック掛けなど細工を施すのに非常に便利である。形状も型さえ作れば同じものを大量に生産することが出来、素早く沈む錘、ユラユラゆれて落ちる錘、ゆっくりと落ちていく錘、土煙を上げる錘など色々な機能を簡単に付加することができる。錘全体の重心の位置設定も可能。フック掛け用金属線の埋め込み、金属プレートの貼り付け、塗装なども簡単で幅広く展開できる。材料も加工も安価となることや大量生産にも最適である為、安く広く一般に提供していく事が可能になる。
【図面の簡単な説明】
【００１１】
【図１】本発明の実施の形態に係る複合錘の外観図である。
【図２】本発明を使って製作できるキス釣り用の土煙お越し錘の図である。
【図３】以前から有るナス型胴突きオモリの図である。
【図４】特開、スピードオモリの図である。
【発明を実施するための形態】
【００１２】  以下、本発明の実施の形態を図面に基づき詳細に説明する。
【００１３】  図１、図２は本発明の実施の携帯に係り、図１は基本になる金属芯、その外側がコンクリート等の流動的錘材である。図２は成形性の良さと頑丈さを生かした錘で、先端に鍬の歯が付いた土起こし付き錘、キス釣りの時など砂煙を上げる事による目立ちの効果がある。
【００１４】  図１の１は鉄などの芯材、２コンクリート等の流動的錘材。デザイン形状を表現し鉄芯材などと密着する。３フック掛けでステインレスや銅などの腐食しにくい金属線で取り付ける。固化しないうちに取り付けておく。
【００１５】  図２に示したように４歯のような複雑な細工も型を作成する事により簡単、且つ丈夫に２本体成型時に作成する事ができる。５に金属芯を入れ後部に重心を持たせる。３フック掛けは成型時に位置決めし付けておく事が出来る。
【００１６】  図２の様に整形できる形はほぼ無限で多目的、多機能な実施形態が可能である。
【符号の説明】
【００１７】    １        錘金属芯
２        錘外側成型部材
３        フック掛け部
４        鍬の歯部分
５        錘内包部
６        鉛錘本体
７        直進性の翼
【図１】
2017042149.tif 000003
【図２】
2017042149.tif 000004
【図３】
2017042149.tif 000005
【図４】
2017042149.tif 000006
(57)【要約】      （修正有）【課題】田圃に入り草取りする時に、バケツを持ってその中に草を入れながら作業したり、無人の草取り機を使ったりせずに、疲れが少なく効率よく田圃の中の草取りを行うことのできる田圃用草取り船を提供する。【解決手段】船体２内に田圃の草を入れる草箱３を設け、船体２の長さを４０ｃｍ以上２００ｃｍ以下、幅を１０ｃｍ以上３０ｃｍ以下とした田圃用草取り船１。【選択図】図１
2017042156.tif 000002
【特許請求の範囲】
【請求項１】
船体内に、田圃の草を入れるべく草入箱を設けてなることを特徴とする田圃用草取り船。
【請求項２】
前記船体の長さを、４０ｃｍ以上２００ｃｍ以下・幅を１０ｃｍ以上３０ｃｍ以下とすることを特徴とする請求項１記載の田圃用草取り船。
【発明の詳細な説明】
【技術分野】
【０００１】  本発明は、田圃の中に浮かべて草取りのために使用する田圃用草取り船に関するものである。
【背景技術】
【０００２】  一般的には、田圃に入り草取りする時は、バケツを持ってその中に草を入れながら作業しますが、草の量が多くなればバケツも重くなり、作業効率が悪くなるのが現状です。【０００３】  また、特許出願においては、田植え時に田植え位置を記憶しておき、草取り時に田植え位置以外の位置に無人の草取り土地から機を移動させるようにしたことを特徴とする屋外作業自動化システムがある（請求項８）。（特許文献１参照）【０００４】  さらに、別の特許出願として、自立走行ロボットの直進走行中は、走行方向の前後の除草用ブラシローラ回転速度に差を設け、走行予定速度に対して一方（前部又は後部）の除草用ブラシローラを早く、かつ他方（後部又は前部）の除草用ブラシローラを遅く回転させることによって、柔軟構造の支持棒の先端と田圃面にスリップを生じさせ、田圃面の攪拌をより強力に行うことができる。前記除草用ブラシローラは、駆動軸に軸支された回転ドラムを設け、該回転ドラムの円周外面に放射状に多数の柔軟構造の支持棒を突設させることにより形成されるものがある。（特許文献２参照）
【先行技術文献】
【特許文献】
【０００５】
【特許文献１】  特開平６−１１３６０７号公報
【特許文献２】  特開２０１２−１０６２９号公報
【発明の概要】
【発明が解決しようとする課題】
【０００６】  前記前者の特許においては、ＧＰＳを使用した無人の草取り機が開示されていますが、大規模農家であれば可能であるが、小さな農家では導入は無理です。【０００７】  前記後者の特許においても、自立走行ロボットであり、これもまた一般的な農家では購入が難しいと思われる。
さらに、両方の特許に言えることであるが、ブラシ式は草を逆に田圃に押し込んでしまうとの声があり、かつ苗（稲）と苗（稲）の間にある草に手で取るしかなく、実用上問題がある。【０００８】  本発明は、このような従来の構造が有していた問題を解決しようとするもので、疲れが少なく、しかも効率よく田圃の中の草取りを行うことのできる田圃用草取り船を提案することを目的とする。
【課題を解決するための手段】
【０００９】  本発明は、上記目的を達成するため、船体内に、田圃の草を入れるべく草入箱を設けてなること。また、前記船体の長さを４０ｃｍ以上２００ｃｍ以下・幅を１０ｃｍ以上３０ｃｍ以下とすることを特徴とする。
【発明の効果】
【００１０】１）、船体内に、田圃の草を入れる草箱を設けることにより、田圃内をすべらせながら草を草箱に入れ取り除くことができ、疲れが少なく、効率的に除去作業できるものである。
２）、船体の長さを４０ｃｍ以上２００ｃｍ以下、幅を１０ｃｍ以上３０ｃｍ以下とすることにより、苗列と苗列との間をスムーズに移動でき、両サイド（苗列）間の草や苗（稲）と苗（稲）との間の草も取り除くことができる。
【図面の簡単な説明】
【００１１】
【図１】  本発明の一実施例を示す田圃用草取り船の縦断正面図。
【図２】  本発明の一実施例を示す田圃用草取り船の平面図。
【図３】  本発明の一実施例を示す田圃用草取り船の作業状態図。
【発明を実施するための形態】
【００１２】  田圃用草取り船１は、長さＮ４０ｃｍ以上２００ｃｍ以下（１２０ｃｍ位が望ましい）で幅Ｈを１０ｃｍ以上３０ｃｍ以下（２２ｃｍ位が望ましい）の大きさを有する船体２内に、田圃の草を入れるべく方形状の草入箱３を着脱自在に設けてある。
【００１３】  上記田圃用草取り船１の使用例について説明する。
まず、田圃Ｔの端の苗列Ｎの横に田圃用草取り船１を置き、つぎの苗列Ｎ１の横に作業者Ｓが位置し、両側４列の苗列Ｎ・Ｎ１・Ｎ２・Ｎ３等にある草Ｋ１〜Ｋ５を田圃用草取り船１を前方に移動（押す）しながら手で除去していき、草入箱３に入れる。
つぎに、田圃用草取り船１を反転させ、隣接する苗列Ｎ４・Ｎ５に田圃用草取り船１を移動させ、同じように作業を行う。
草入箱３内に草が一杯になった時、草入箱３を船体２より取り外し、草を除去（所要の場所に捨てる）する。
【００１４】  なお、田圃用草取り船１の置く位置や同時に除去する苗列数等は、自由に選定すれればよい。
また、田圃用草取り船１や草入箱３の材質や形状は特に限定しなくてよい。
さらに、草入箱３に、草を入れて、植え残した所へ植え付ける作業も出来る。
【産業上の利用の可能性】
【００１５】  特に、小さな農家で、設備費用を掛けずに草取り作業ができると共に、高齢者の方でも作業が楽にできる。
【符号の説明】
【００１６】  １―――田圃用草取り船
２―――船体
３―――草入箱
Ｔ―――田圃
Ｋ―――草
Ｓ―――作業者
【図１】
2017042156.tif 000003
【図２】
2017042156.tif 000004
【図３】
2017042156.tif 000005
(57)【要約】      （修正有）【課題】玄米、もしくは発芽玄米のみを使用して製造する、玄米の特徴および発芽玄米の栄養性を生かした、醤油風調味液及びその製造方法の提供。【解決手段】水を加えて発芽させ、粉砕した玄米・発芽玄米と食塩水、生育させた麹菌（アスペルギルス属）を混合し、４５℃以上の温度で５〜３０日間発酵させて製造する、機能性成分であるγ−アミノ酪酸（ＧＡＢＡ）を含む醤油風調味液、及びその製造方法。【効果】玄米麹・発芽玄米麹を粉砕することにより低い濃度の食塩水でも腐敗し難く、発酵期間も短かく、大豆及び小麦を使用していないので、これらにアレルギーを持つ対象者でも摂取可能となる。【選択図】なし【特許請求の範囲】
【請求項１】
麹菌（アスペルギルス属）を生育させた玄米と食塩水を混合し、４５℃以上の温度で５〜３０日間発酵させて製造する醤油風調味液。
【請求項２】
水を加えて発芽させた玄米を用いた請求項１の調味液。
【請求項３】
麹菌を生育させた玄米・発芽玄米を粉砕して製造した請求項１の調味液。
【発明の詳細な説明】
【技術分野】
【０００１】  本発明は、玄米・発芽玄米を原料とした調味液の製造に関する。
【技術背景】
【０００２】  わが国の農業生産物の代表である米は、人口減少に伴う消費量の落ち込み等により年々供給過剰となっている。また、廉価な外国産米の流通により、加工用に流通していた規格外米や古米についても需要が減少しており、これらの新たな利用方法が求められている。
一方で、調味料の代表である醤油や味噌の原料となる大豆や小麦の国際取引価格は、新興国における畜肉消費の拡大や世界的な天候不順等の影響を受け、高騰の一途をたどっている。
【０００３】これまでに胡麻、稗、粟などの穀類を原料とした醤油風調味料が開発されてきたが、玄米や発芽玄米のみを使用した調味液は他には見られない。
【０００４】  特許文献１で開示されているように、玄米の他に籾殻等を原料とした醤油の製造方法があるが、もろみの状況及び発酵終了時の品質が明らかでないことで、玄米を使用するものの玄米使用の特徴が明らかではない。
また、籾殻には米の生産中に使用する薬剤等の残留が懸念されるため、食品製造に使用するにはリスクを伴う。
【発明の概要】
【発明が解決しようとする課題】
【０００５】  本発明は、玄米もしくは発芽玄米のみを使用して製造する玄米の特徴および発芽玄米の栄養性を生かした醤油風調味液及びその製造方法の提供を目的とする。
【課題を解決ための手段】
【０００６】  発明者らは、玄米に種麹を接種して従来法による製麹によって得られた玄米麹と食塩水を混合し、高温で発酵させることにより、短期間で玄米の特徴を感じられる醤油風調味料の製造方法を確立した。
【０００７】発芽玄米を原料とすることにより、機能性成分であるγ−アミノ酪酸（ＧＡＢＡ）を含む調味液を製造することができる。
【０００８】玄米麹・発芽玄米麹を粉砕することにより、低い濃度の食塩水であっても腐敗することなく調味液を得ることができる。
【発明の効果】
【０００９】  玄米へ麹菌酵素を作用させて発酵させることにより、従来醤油と類似の調味液ができた。その特徴は、発酵期間が短いこと、食塩濃度が低いこと、アミノ酸バランスが良く、ＧＡＢＡ等の機能性成分を含むことである。
【００１０】  大豆・小麦を使用しないため、これらに対するアレルギーをもつ患者でも摂取可能な調味液となる。
【００１１】  低い食塩濃度での製造も可能であるため、高血圧症状をもつ患者の食事においても利用できる。
【図面の簡単な説明】
【００１２】
【図１】発酵１週間におけるもろみの糖組成の測定結果である。
【図２】発芽玄米を原料とした調味液のアミノ酸組成である。
その特徴は、食塩濃度が１５％以下の低食塩濃度であること、製造期間が３０日間であること、淡口タイプの醤油に利用できること、ＧＡＢＡを含有する機能性成分を有すること、香りの高いこと等である。以下、実施例によって示す。
【実施例１】
【００１３】  玄米を一晩浸漬し、水切り１時間後、１気圧で４０分間の加圧蒸しを行った。その後、この蒸し玄米へ麹菌を散布して２８℃ー３日間保持後、出麹とした。その間３回の手入れを行った。【００１４】  玄米麹９４０ｇと食塩水１，３８５ｇ（食塩３１４ｇ、水道水１，０７１ｇ）を混合し、大型ビンにいれ５０℃で１週間保持し、調味液を得た。【００１５】
【表１】
2017042153.tif 000002
【００１６】  食塩濃度が１３％台であるにもかかわらず、黴が生じないことは、この玄米調味液が濃口醤油と比較して、減塩タイプの醤油として利用できることが分かった。【００１７】  全窒素が０．３％、色調がＮｏ．４４であることは、白醤油の平均的な数値と同じで、減塩の白醤油としても利用できる。【００１８】  無塩可溶性固形分が３０％であることから、みりん等の若干の副原料を加えればタレ液への展開が図れる。また、殺菌加熱温度を８０℃‐１時間処理しても加熱による色調が進まず、淡口醤油及び料理用淡口醤油としての特徴を生かすことができる。
【実施例２】
【００１９】  ミキサーで粉砕した玄米麹２５０ｇ，食塩３７．５ｇ，水道水２５０ｇを混合して食塩濃度８％に調整し、５０℃で７日間発酵させた【００２０】  カビも生えず、腐敗することなく正常に発酵し、低い食塩濃度の調味液が得られた。【００２１】  食塩濃度が低いほど、無塩可用性固形分が増加する傾向が確認された。【００２２】  図１に示すようにグルコース、マルトースを多く含むことから、甘味成分の多い調味液であることが分かる。
【実施例３】
【００２３】  発芽させた玄米を請求項１と同様に製麹し、５０℃で１週間保持した後、３０℃で３０日間、後熟発酵させた【００２４】  図２に示すように、１８種類の遊離アミノ酸を含むことが分かった。特にＧＡＢＡを含むこととアルギニンが多く含まれていることから、機能性調味液としての利用が考えられる。【００２５】  仕込み期間を１週間から３０日間に延長した場合、旨みの成分であるグルタミン酸が約５倍に増加した。
【先行技術文献】
【００１２】
【特許文献１】特開２０１３−５９２９８号公報
【図１】
2017042153.tif 000003
【図２】
2017042153.tif 000004